(57)【要約】【課題】本発明は、相互無線通信可能な複数の情報処理装置間の資源を共有する資源共有システム及び資源共有方法に関する。【解決手段】資源共有システム１は、相互に無線通信を行う各パーソナルコンピュータＰＣ１〜ＰＣ３が、自己の表示画面のうち他のパーソナルコンピュータＰＣ１〜ＰＣ３に公開する共有画面やデータ種別が設定されると、当該設定された共有画面の当該共有データ種別のデータの画面情報を共有画面表示情報として他のパーソナルコンピュータＰＣ１〜ＰＣ３に送信し、当該共有画面表示情報を受信すると、当該共有画面表示情報に応じて当該相手パーソナルコンピュータＰＣ１〜ＰＣ３の共有画面を、相互の距離に応じてその表示面積の大きさが変化する相手画面表示領域に表示する。したがって、パーソナルコンピュータＰＣ１〜ＰＣ３相互の資源を簡単かつ速やかに共有することができる。【選択図】          図１
2007219961.tif 000002
【特許請求の範囲】
【請求項１】
複数の情報処理装置が相互に無線通信を行って、相互の画面表示情報を送受信する資源共有システムであって、前記各情報処理装置が、自己の表示画面のうち他の情報処理装置に公開する共有画面または共有データ種別を設定する共有画面設定手段と、当該設定された共有画面または共有データ種別のデータの画面情報を共有画面表示情報として他の情報処理装置に送信する送信手段と、当該共有画面表示情報を受信する受信手段と、相手情報処理装置の前記共有画面を表示する相手画面表示領域を自己の表示画面に設定する相手画面設定手段と、を備え、前記受信手段の受信した前記共有画面表示情報に応じて当該相手情報処理装置の共有画面を前記相手画面表示領域に表示することを特徴とする資源共有システム。
【請求項２】
複数の情報処理装置が相互に無線通信を行って、相互の画面表示情報を送受信する資源共有方法であって、前記各情報処理装置が、自己の表示画面のうち他の情報処理装置に公開する共有画面または共有データ種別を設定し、当該設定された共有画面または共有データ種別のデータの画面情報を共有画面表示情報として他の情報処理装置に送信し、他の情報処理装置から当該共有画面表示情報を受信すると、当該共有画面表示情報に応じて当該相手情報処理装置の共有画面を所定の相手画面表示領域に表示することを特徴とする資源共有方法。
【請求項３】
前記資源共有システムまたは前記資源共有方法は、前記各情報処理装置が、相互の情報処理装置間の距離に応じて前記相手画面表示領域の大きさを変化させるとともに、当該相手画面表示領域に、当該相手情報処理装置の共有画面を等倍の大きさ、または、当該相互の情報処理装置間の距離に応じて変化させた大きさで表示することを特徴とする請求項１記載の資源共有システムまたは請求項２記載の資源共有方法。
【請求項４】
前記資源共有システムまたは前記資源共有方法は、前記各情報処理装置が、相互間に優先度が設定されており、他の情報処理装置のうち、最も優先度の高い情報処理装置の共有画面を前記相手画面表示領域に優先的に表示することを特徴とする請求項１から請求項３のいずれかに記載の資源共有システムまたは資源共有方法。
【請求項５】
前記資源共有システムまたは前記資源共有方法は、前記各情報処理装置が、前記自己の画面表示領域と前記相手画面表示領域との間で、当該いずれかの表示領域に表示されているデータの他の表示領域に複写等の操作に応じて、当該データの複写等の各種操作に対応する処理を実行することを特徴とする請求項１から請求項４のいずれかに記載の資源共有システムまたは資源共有方法。
【発明の詳細な説明】
【技術分野】
【０００１】
本発明は、資源共有システム及び資源共有方法に関し、詳細には、相互無線通信可能な複数の情報処理装置間の資源を効率的に共有する資源共有システム及び資源共有方法に関する。
【背景技術】
【０００２】
近年、パーソナルコンピュータ等の情報処理装置が普及し、その処理能力の向上とネットワーク化に伴って、各情報処理装置の取り扱う情報資源の種類とその量が増大化している。
【０００３】
このような情報資源の種類と量の増大化においては、各情報処理装置の保有している情報資源を相互に有効活用することが情報の有効活用を図る上で、重要な課題となってくる。
【０００４】
そして、従来、コンピュータにおいては、例えば、そのＯＳ（Operating System）であるウィンドウズ（登録商標）の機能として、共有フォルダを有し、当該共有フォルダを他のコンピュータに開放して、当該共有フォルダに他のコンピュータがネットワークを介してアクセスすることで、当該共有フォルダを介してデータのやり取りを行えるようになっている。
【０００５】
ところが、このような従来の共有方法にあっては、会議等で他の会議参加者のコンピュータに保存されているデータを他の会議参加者が取得するためには、当該データの保存されているコンピュータの参加者が提供するデータを共有フォルダにコピーするとともに、当該データの保存されているコンピュータへの接続情報を入手して、当該接続情報に基づいて自己のコンピュータのネットワーク設定を行い、相手のコンピュータに接続して当該相手コンピュータの共有フォルダに保存されているデータを自己のコンピュータにコピーするという操作を行う必要があり、操作性が悪いという問題があった。
【０００６】
そして、従来、共有サーバを介して複数の端末を接続し、当該共有サーバのディレクトリ内のファイルに各端末がアクセスするとともに、端末のアクセス権限を管理装置が管理する技術が提案されている（特許文献１参照）。
【０００７】
また、従来、ネットワークで接続された送信側端末の表示画面データを受信側端末に送信して共有するとともに、送信側端末の表示画面の更新データを、受信側端末に送信する際に、受信側端末の処理状況に応じて送信する技術が提案されている（特許文献２参照）。
【０００８】
【特許文献１】特開２００３−２５６２６０号公報
【特許文献２】特開２００４−２５９１６３号公報
【発明の開示】
【発明が解決しようとする課題】
【０００９】
しかしながら、上記特許文献１記載の従来技術にあっては、共有サーバを必要とし、コストが高くかかるとともに、データのやり取りにいちいち共有サーバを介する必要があり、操作性を向上させる上で、なお、改良の必要があった。
【００１０】
また、特許文献２記載の従来技術にあっては、送信側端末の表示画面を受信側端末の処理状況に応じて更新することはできるが、データの提供が送信側端末から受信側端末への一方通行であり、データ等の各種資源の共有を簡単かつ速やかに行う上で、改良の必要があった。
【００１１】
そこで、本発明は、情報処理装置相互の資源の共有を簡単かつ速やかに行うことのできる資源共有システム及び資源共有方法を提供することを目的としている。
【課題を解決するための手段】
【００１２】
請求項１記載の発明の資源共有システムは、複数の情報処理装置が相互に無線通信を行って、相互の画面表示情報を送受信する資源共有システムであって、前記各情報処理装置が、自己の表示画面のうち他の情報処理装置に公開する共有画面または共有データ種別を設定する共有画面設定手段と、当該設定された共有画面または共有データ種別のデータの画面情報を共有画面表示情報として他の情報処理装置に送信する送信手段と、当該共有画面表示情報を受信する受信手段と、相手情報処理装置の前記共有画面を表示する相手画面表示領域を自己の表示画面に設定する相手画面設定手段と、を備え、前記受信手段の受信した前記共有画面表示情報に応じて当該相手情報処理装置の共有画面を前記相手画面表示領域に表示することにより、上記目的を達成している。
【００１３】
請求項２記載の発明の資源共有方法は、複数の情報処理装置が相互に無線通信を行って、相互の画面表示情報を送受信する資源共有方法であって、前記各情報処理装置が、自己の表示画面のうち他の情報処理装置に公開する共有画面または共有データ種別を設定し、当該設定された共有画面または共有データ種別のデータの画面情報を共有画面表示情報として他の情報処理装置に送信し、他の情報処理装置から当該共有画面表示情報を受信すると、当該共有画面表示情報に応じて当該相手情報処理装置の共有画面を所定の相手画面表示領域に表示することにより、上記目的を達成している。
【００１４】
上記各場合において、例えば、請求項３に記載するように、前記資源共有システムまたは前記資源共有方法は、前記各情報処理装置が、相互の情報処理装置間の距離に応じて前記相手画面表示領域の大きさを変化させるとともに、当該相手画面表示領域に、当該相手情報処理装置の共有画面を等倍の大きさ、または、当該相互の情報処理装置間の距離に応じて変化させた大きさで表示してもよい。
【００１５】
また、例えば、請求項４に記載するように、前記資源共有システムまたは前記資源共有方法は、前記各情報処理装置が、相互間に優先度が設定されており、他の情報処理装置のうち、最も優先度の高い情報処理装置の共有画面を前記相手画面表示領域に優先的に表示してもよい。
【００１６】
さらに、例えば、請求項５に記載するように、前記資源共有システムまたは前記資源共有方法は、前記各情報処理装置が、前記自己の画面表示領域と前記相手画面表示領域との間で、当該いずれかの表示領域に表示されているデータの他の表示領域に複写等の操作に応じて、当該データの複写等の各種操作に対応する処理を実行してもよい。
【発明の効果】
【００１７】
本発明の資源共有システムによれば、相互に無線通信を行う各情報処理装置が、自己の表示画面のうち他の情報処理装置に公開する共有画面または共有データ種別が設定されると、当該設定された共有画面または共有データ種別のデータの画面情報を共有画面表示情報として他の情報処理装置に送信し、当該共有画面表示情報を受信すると、当該共有画面表示情報に応じて当該相手情報処理装置の共有画面を予め設定された相手画面表示領域に表示するので、共有サーバを用いたり、相手情報処理装置の接続情報を入手して設定することなく、相手情報処理装置の許可された共有画面を自己の表示画面に表示することができ、情報処理装置相互の資源を簡単かつ速やかに共有して、利用性を向上させることができる。
【００１８】
本発明の資源共有方法によれば、相互に無線通信を行う各情報処理装置が、自己の表示画面のうち他の情報処理装置に公開する共有画面または共有データ種別を設定し、当該設定された共有画面または共有データ種別のデータの画面情報を共有画面表示情報として他の情報処理装置に送信し、他の情報処理装置から当該共有画面表示情報を受信すると、当該共有画面表示情報に応じて当該相手情報処理装置の共有画面を所定の相手画面表示領域に表示するので、共有サーバを用いたり、相手情報処理装置の接続情報を入手して設定することなく、相手情報処理装置の許可された共有画面を自己の表示画面に表示することができ、情報処理装置相互の資源を簡単かつ速やかに共有して、利用性を向上させることができる。
【発明を実施するための最良の形態】
【００１９】
以下、本発明の好適な実施例を添付図面に基づいて詳細に説明する。なお、以下に述べる実施例は、本発明の好適な実施例であるから、技術的に好ましい種々の限定が付されているが、本発明の範囲は、以下の説明において特に本発明を限定する旨の記載がない限り、これらの態様に限られるものではない。
【実施例１】
【００２０】
図１〜図６は、本発明の資源共有システム及び資源共有方法の一実施例を示す図であり、図１は、本発明の資源共有システム及び資源共有方法の一実施例を適用した資源共有システム１のシステム構成図である。
【００２１】
図１において、資源共有システム１は、複数（図１では、３台）のパーソナルコンピュータ（情報処理装置）ＰＣ１〜ＰＣ３と複数（図１では、２台）のＲＦＩＤ（Radio Frequency-Identification：電波方式認識）リーダＲｒ１、Ｒｒ２が任意の距離で位置している。
【００２２】
各パーソナルコンピュータＰＣ１〜ＰＣ３は、通常のハードウェア構成に、ＯＳ（Operating System）上で動作する各種アプリケーションプログラムがハードディスクにインストールされていて、当該アプリケーションプログラムを利用した各種作業処理を行うことができるとともに、資源共有プログラムがインストールされていて、後述する資源共有処理を実行する。そして、パーソナルコンピュータＰＣ１〜ＰＣ３は、資源共有プログラムが導入されることで、図２に示すように、被共有範囲設定部（共有画面設定手段）１１、相手画面設定部（相手画面設定手段）１２及び共有データ種別設定部（共有画面設定手段）１３が機能構築されるとともに、図示しないＲＦＩＤのＩＤ（Identity）タグ及びＲＦＩＤリーダＲｒ１、Ｒｒ２からの距離データを受信するＲＦＩＤデータ受信部と上記資源共有プログラムによって、ＰＣ間距離判定部１４が機能構築され、さらに、図示しない無線送受信器と資源共有プログラムによって、共有デスクトップ領域データ送信部（送信手段）１５及び共有デスクトップ領域データ受信部（受信手段）１６が機能構築される。
【００２３】
上記被共有範囲設定部１１は、例えば、マウス操作等によってディスプレイの表示画面内で指定操作された画面領域を共有画面（共有範囲）として設定する。この共有画面は、パーソナルコンピュータＰＣ１〜ＰＣ３が自己のディスプレイの表示画面のうち他のパーソナルコンピュータＰＣ１〜ＰＣ３に公開する画面領域である。
【００２４】
上記相手画面設定部１２は、例えば、マウス操作等によってディスプレイの表示画面内で指定操作された画面領域を相手画面表示領域として設定する。この相手画面表示領域は、相手パーソナルコンピュータＰＣ１〜ＰＣ３の共有画面を自己のディスプレイの表示画面内で表示する画面領域である。
【００２５】
共有データ種別設定部１３は、例えば、ユーザインターフェイス画面で、相手パーソナルコンピュータＰＣ１〜ＰＣ３に対して公開するデータ種別、例えば、テキストデータ、イメージデータ、グラフィックデータ等の種別、特定のワードプロセッサソフトウェアで作成された文書データ、特定のグラフィックソフトウェアで作成されたグラフィックデータ、特定の表計算ソフトウェアで作成された表計算データ等のデータ種別が公開指定されると、当該公開指定されたデータ種別のデータを上記共有画面での表示データとして設定する。
【００２６】
ＰＣ間距離判定部１４は、各ＲＦＩＤリーダＲｒ１、Ｒｒ２からの各パーソナルコンピュータＰＣ１〜ＰＣ３までの距離データに基づいて他のパーソナルコンピュータＰＣ１〜ＰＣ３との距離を判定する。なお、本実施例の資源共有システム１では、ＲＦＩＤ技術を用いてパーソナルコンピュータＰＣ１〜ＰＣ３相互間の距離を判定しているが、パーソナルコンピュータＰＣ１〜ＰＣ３相互間の距離の判定については、ＲＦＩＤ技術を用いる者に限るものではなく、適切にパーソナルコンピュータＰＣ１〜ＰＣ３相互間の距離を判定することのできる技術であれば、どのような技術であってもよい。
【００２７】
共有デスクトップ領域データ送信部１５は、被共有範囲設定部１１で設定された自己のディスプレイの表示画面内の共有画面の画面情報（デスクトップデータ）を他のパーソナルコンピュータＰＣ１〜ＰＣ３に無線送信する。
【００２８】
共有デスクトップ領域データ受信部１６は、他のパーソナルコンピュータＰＣ１〜ＰＣ３から無線送信されてくる共有画面の画面情報（デスクトップデータ）を受信する。
【００２９】
ＲＦＩＤリーダＲｒ１、Ｒｒ２は、各パーソナルコンピュータＰＣ１〜ＰＣ３に取り付けられているＲＦＩＤタグとの間で無線送・受信を行って、各パーソナルコンピュータＰＣ１〜ＰＣ３とＲＦＩＤリーダＲｒ１、Ｒｒ２との距離を取得し、当該取得した各パーソナルコンピュータＰＣ１〜ＰＣ３との距離の距離データを各パーソナルコンピュータＰＣ１〜ＰＣ３に送信する。
【００３０】
いま、ＲＦＩＤリーダＲｒ１、Ｒｒ２は、複数（図１では、２個）配設されており、複数のＲＦＩＤリーダＲｒ１、Ｒｒ２からの距離データを用いることで、各パーソナルコンピュータＰＣ１〜ＰＣ３間の距離を２次元あるいは３次元でより正確に算出することができる。
【００３１】
次に、本実施例の作用を説明する。本実施例の資源共有システム１は、複数のパーソナルコンピュータＰＣ１〜ＰＣ３が、それぞれ自己のディスプレイの表示画面のうち他のパーソナルコンピュータＰＣ１〜ＰＣ３に公開する画面領域として予め設定された共有画面の画面情報のうち、公開指定されたデータ種別のデータの画面情報を他のパーソナルコンピュータＰＣ１〜ＰＣ３に送信するとともに、当該画面情報の送信を他のパーソナルコンピュータＰＣ１〜ＰＣ３との距離に応じて制御して、資源共有処理を行う。
【００３２】
すなわち、各パーソナルコンピュータＰＣ１〜ＰＣ３は、例えば、パーソナルコンピュータＰＣ１とパーソナルコンピュータＰＣ２とで画面情報（画面データ）の交換を行って資源の共有を行う場合、図３に示すように、それぞれのパーソナルコンピュータＰＣ１、ＰＣ２では、被共有範囲設定部１１で、予め自己のディスプレイの表示画面のうち他のパーソナルコンピュータＰＣ１〜ＰＣ３に公開する画面領域が共有画面として設定され、また、共有データ種別設定部１３で共有画面で他のパーソナルコンピュータＰＣ１〜ＰＣ３に公開するデータ種別が設定されると、これらの共有画面の設定情報とデータ種別情報がそれぞれ被共有範囲設定部１１と共有データ種別設定部１３から共有デスクトップ領域データ送信部１５に渡される。
【００３３】
また、ＰＣ間距離判定部１４は、ＲＦＩＤリーダＰｒ１、Ｐｒ２からの距離情報に基づいて、パーソナルコンピュータＰＣ１、ＰＣ２相互間の距離を判定し、判定した距離情報を共有デスクトップ領域データ送信部１５に渡す。
【００３４】
そして、ＰＣ間距離判定部１４からの距離情報でパーソナルコンピュータＰＣ１、ＰＣ２相互間の距離が予め設定されている表示境界距離以下に近づくと、双方のパーソナルコンピュータＰＣ１、ＰＣ２の共有デスクトップ領域データ送信部１５は、被共有範囲設定部１１で設定されている共有画面の画面情報であって、共有データ種別設定部１３で設定されたデータ種別のデータを共有画面情報（画面データ）として相手先のパーソナルコンピュータＰＣ１、ＰＣ２へ送信を開始する。
【００３５】
パーソナルコンピュータＰＣ１、ＰＣ２は、相手先パーソナルコンピュータＰＣ１、ＰＣ２から共有画面情報を共有デスクトップ領域データ受信部１６で受信すると、当該共有画面情報を、相手画面設定部１２で設定された相手画面表示領域に表示する。
【００３６】
したがって、パーソナルコンピュータＰＣ１のディスプレイの表示画面には、その相手画面表示領域にパーソナルコンピュータＰＣ２の共有画面の公開指定されたデータ種のデータが、例えば、アイコン等の状態で表示され、ユーザがディスプレイの表示画面の自己の画面表示領域と相手画面表示領域との間で、当該いずれかの表示領域に表示されているデータの他の表示領域に複写等の操作に応じて、当該データの複写等の各種操作に対応する処理を実行する。例えば、パーソナルコンピュータＰＣ１、ＰＣ２は、ユーザが、マウス等で、相手画面表示領域のデータアイコンを自己の画面表示領域にコピーする操作を行うと、当該コピー操作されたデータを相手パーソナルコンピュータＰＣ１、ＰＣ２から自己のパーソナルコンピュータＰＣ１、ＰＣ２にコピーする。
【００３７】
そして、パーソナルコンピュータＰＣ１、ＰＣ２は、相手パーソナルコンピュータＰＣ１、ＰＣ２の共有画面を相手画面表示領域に表示するが、このとき、相手画面表示領域の表示面積の大きさを、ＰＣ間距離判定部１４の判定するパーソナルコンピュータＰＣ１、ＰＣ２相互間の距離情報に応じた大きさに制御する。この相手画面表示領域の表示面積の制御は、相手画面設定部１２がＰＣ間距離判定部１４からの距離情報に基づいてディスプレイに表示させる相手画面表示領域の大きさを制御してもよいし、共有デスクトップ領域データ受信部１６が共有画面情報を送信する際に、相手画面表示領域の大きさを設定して送信してもよい。
【００３８】
このように、本実施例の資源共有システム１は、相互に無線通信を行う各パーソナルコンピュータＰＣ１〜ＰＣ３が、自己の表示画面のうち他のパーソナルコンピュータＰＣ１〜ＰＣ３に公開する共有画面が設定されると、当該設定された共有画面のデータの画面情報を共有画面表示情報として他のパーソナルコンピュータＰＣ１〜ＰＣ３に送信し、当該共有画面表示情報を受信すると、当該共有画面表示情報に応じて当該相手パーソナルコンピュータＰＣ１〜ＰＣ３の共有画面を予め設定された相手画面表示領域に表示している。
【００３９】
したがって、共有サーバを用いたり、相手パーソナルコンピュータＰＣ１〜ＰＣ３の接続情報を入手して設定することなく、相手パーソナルコンピュータＰＣ１〜ＰＣ３の許可された共有画面を自己の表示画面に表示することができ、パーソナルコンピュータＰＣ１〜ＰＣ３相互の資源を簡単かつ速やかに共有して、利用性を向上させることができる。
【００４０】
また、各パーソナルコンピュータＰＣ１〜ＰＣ３は、自己の表示画面のうち他のパーソナルコンピュータＰＣ１〜ＰＣ３に公開する共有データ種別が設定されると、当該共有画面の当該共有データ種別のデータの画面情報を共有画面表示情報として他のパーソナルコンピュータＰＣ１〜ＰＣ３に送信し、当該共有画面表示情報を受信すると、当該共有画面表示情報に応じて当該相手パーソナルコンピュータＰＣ１〜ＰＣ３の共有画面を予め設定された相手画面表示領域に表示している。
【００４１】
したがって、共有サーバを用いたり、相手パーソナルコンピュータＰＣ１〜ＰＣ３の接続情報を入手して設定することなく、相手パーソナルコンピュータＰＣ１〜ＰＣ３の許可された共有画面の共有データ種別のデータを自己の表示画面に表示することができ、ミーティング等において、他社等の他人には公開したくないデータを非公開として、自己のみが当該データを参照しながら、ミーティングを効率的に行うことができる。
パーソナルコンピュータＰＣ１〜ＰＣ３相互の資源を簡単かつ速やかに共有して、利用性を向上させることができる。
【００４２】
さらに、本実施例の資源共有システム１は、各パーソナルコンピュータＰＣ１〜ＰＣ３が、相互のパーソナルコンピュータＰＣ１〜ＰＣ３間の距離に応じて相手画面表示領域の大きさを変化させ、当該相手画面表示領域に、当該相手パーソナルコンピュータＰＣ１〜ＰＣ３の共有画面を表示している。
【００４３】
したがって、相手画面表示領域の大きさで相手パーソナルコンピュータＰＣ１〜ＰＣ３との距離を実感として分かるようにすることができ、例えば、壁越し等で視覚的には他のパーソナルコンピュータＰＣ１〜ＰＣ３やユーザの存在が分からない場合であっても、相手先画面表示領域の表示の有無や表示の大きさで相手の存在や位置を認識することができる。
【００４４】
また、各パーソナルコンピュータＰＣ１〜ＰＣ３は、自己画面表示領域と相手画面表示領域との間で、当該いずれかの表示領域に表示されているデータの他の表示領域への複写等の操作に応じて、当該データの複写等の各種操作に対応する処理を実行している。
【００４５】
したがって、各パーソナルコンピュータＰＣ１〜ＰＣ３の資源を簡単に相互活用することができ、利用性を向上させることができる。
【００４６】
なお、上記説明では、パーソナルコンピュータＰＣ１、ＰＣ２相互間の距離が所定の表示境界距離以下に近づくと、共有画面情報を送信して双方の表示画面に、相手の共有画面を表示しているが、この場合、例えば、図４または図５に示すように、パーソナルコンピュータＰＣ１、ＰＣ２の相互の距離に応じて相手画面表示領域の大きさを変化させるとともに、当該相手画面表示領域への共有画面の表示を等倍の大きさでの表示または相互間の距離に応じた大きさに変化させての表示としてもよい。
【００４７】
すなわち、図４の場合は、図４（ａ）に示すように、パーソナルコンピュータＰＣ１、ＰＣ２の相互距離が表示境界距離よりも離れていると、双方の表示画面には、共有領域を表示する相手画面表示領域が表示されず、パーソナルコンピュータＰＣ１、ＰＣ２の相互距離が表示境界距離以下に近づいたがまだ一定の距離があると、図４（ｂ）に示すように、当該相互距離に応じた大きさの相手画面表示領域を自己画面表示領域の一部に表示を開始するとともに、この自己画面表示領域に共有画面を等倍の大きさで表示する。ところが、図４（ｂ）の状態では、この相手画面表示領域の大きさが共有画面の大きさよりも小さいため、共有画面の一部のみが相手画面表示領域に表示している。
【００４８】
そして、パーソナルコンピュータＰＣ１、ＰＣ２がさらに接近すると、図４（ｃ）に示すように、パーソナルコンピュータＰＣ１、ＰＣ２の距離に応じて、相手画面表示領域がさらに大きくなり、当該大きくなった相手画面表示領域に等倍の共有画面を表示する。
【００４９】
そして、パーソナルコンピュータＰＣ１、ＰＣ２は、相手パーソナルコンピュータＰＣ１、ＰＣ２の共有画面を相手パーソナルコンピュータＰＣ１、ＰＣ２の相互距離に応じて相手画面表示領域の大きさや共有画面の倍率を調整してディスプレイに表示するが、このとき、相手画面表示領域の表示面積の大きさや共有画面の倍率の制御は、相手画面設定部１２がＰＣ間距離判定部１４からの距離情報に基づいてディスプレイに表示させる相手画面表示領域の大きさや共有画面の倍率を制御してもよいし、共有デスクトップ領域データ受信部１６が共有画面情報を送信する際に、相手画面表示領域の大きさや共有画面の倍率を設定して送信してもよい。
【００５０】
このように、パーソナルコンピュータＰＣ１、ＰＣ２の相互の距離に応じて相手画面表示領域の大きさを変化させるとともに、当該相手画面表示領域への共有画面の表示を等倍の大きさで表示すると、相手画面表示領域の大きさで相手パーソナルコンピュータＰＣ１〜ＰＣ３との距離を実感として分かるようにすることができるとともに、一部ではあるが、相手パーソナルコンピュータＰＣ１〜ＰＣ３に存在するデータを等倍の大きさで容易に確認することができる。
【００５１】
また、図５の場合は、図５（ａ）に示すように、パーソナルコンピュータＰＣ１、ＰＣ２の相互距離が表示境界距離よりも離れていると、双方の表示画面には、共有領域を表示する相手画面表示領域が表示されず、パーソナルコンピュータＰＣ１、ＰＣ２の相互距離が表示境界距離以下に近づいたがまだ一定の距離があると、図５（ｂ）に示すように、当該相互距離に応じた大きさの相手画面表示領域を自己画面表示領域の一部に表示を開始するとともに、この自己画面表示領域に相手の共有画面を相互の距離に応じた大きさで表示、すなわち、相手の共有画面の縮小画面を表示する。そして、この相手の共有画面は、相互間の距離に応じた大きさ（小ささ）、すなわち、相互間の距離が遠ければ遠いほど小さい相手画面表示領域に表示可能な大きさに縮小される。
【００５２】
そして、パーソナルコンピュータＰＣ１、ＰＣ２がさらに接近すると、図５（ｃ）に示すように、パーソナルコンピュータＰＣ１、ＰＣ２の距離に応じて、相手画面表示領域がさらに大きくなり、当該大きくなった相手画面表示領域に当該相手画面表示領域の大きさに表示可能な縮小倍率の共有画面を表示する。すなわち、図５（ｃ）では、図５（ｂ）の場合よりも縮小倍率が小さく大きな共有画面を相手画面表示領域に表示する。
【００５３】
このように、パーソナルコンピュータＰＣ１、ＰＣ２の相互の距離に応じて相手画面表示領域の大きさを変化させるとともに、当該相手画面表示領域への共有画面の大きさを変化させて表示すると、相手画面表示領域の大きさで相手パーソナルコンピュータＰＣ１〜ＰＣ３との距離を実感として分かるようにすることができるとともに、相手の共有が面全体を確認することができ、また、パーソナルコンピュータＰＣ１〜ＰＣ３相互間の距離を変化させることで、詳細なデータ内容ははっきりとは見せたくはないが、大きな概念図を見せることができる等のデータのフィルタリングをパーソナルコンピュータＰＣ１〜ＰＣ３の距離を調整することで、行うことができる。
【００５４】
さらに、上記説明では、パーソナルコンピュータＰＣ１、ＰＣ２相互間の距離が所定の表示境界距離以下に近づくと、共有画面情報を送信して双方の表示画面に、相手の共有画面を表示しているが、共有画面の表示は、上記方法に限るものではなく、例えば、図６に示すように、パーソナルコンピュータＰＣ１〜ＰＣ３相互間に優先度を設定して、他のパーソナルコンピュータＰＣ１〜ＰＣ３のうち、最も優先度の高いパーソナルコンピュータＰＣ１〜ＰＣ３の共有画面を相手画面表示領域に優先的に表示してもよい。
【００５５】
すなわち、図６の場合では、３台のパーソナルコンピュータＰＣ１〜ＰＣ３のうち、パーソナルコンピュータＰＣ３が最も優先度が高く設定されている。そして、いま、図６（ａ）に示すように、パーソナルコンピュータＰＣ１とパーソナルコンピュータＰＣ２が相互の距離に応じた相手画面表示領域に相手の共有画面を等倍で表示している状態において、図６（ｂ）に示すように、最も優先度の高いパーソナルコンピュータＰＣ３が表示境界距離以下に近づくと、それまで相互に相手パーソナルコンピュータＰＣ１、ＰＣ２の共有画面を表示していた相手画面表示領域に、最も優先度の高いパーソナルコンピュータＰＣ３の共有画面を表示する。
【００５６】
なお、この場合、パーソナルコンピュータＰＣ３の自己画面表示領域には、パーソナルコンピュータＰＣ３が最も優先度が高いため、他のパーソナルコンピュータＰＣ１、ＰＣ２の共有画面を表示することをしない。
【００５７】
このようにすると、例えば、パーソナルコンピュータＰＣ１〜ＰＣ３がチームの構成員がそれぞれ保有していて、最も優先度の高いパーソナルコンピュータＰＣ３をチームリーダが保有することで、会議等で、チームリーダのパーソナルコンピュータＰＣ３の共有画面を他のチーム構成員のパーソナルコンピュータＰＣ１、ＰＣ２の相手画面表示領域に表示することができ、会議等を効率的に行うことができる。
【００５８】
以上、本発明者によってなされた発明を好適な実施例に基づき具体的に説明したが、本発明は上記のものに限定されるものではなく、その要旨を逸脱しない範囲で種々変更可能であることはいうまでもない。
【産業上の利用可能性】
【００５９】
コンピュータ等の情報処理装置の資源を他の情報処理装置との間で容易かつ効率的に利用する資源共有システム及び資源共有方法に適用することができる。
【図面の簡単な説明】
【００６０】
【図１】本発明の資源共有システム及び資源共有方法の一実施例を適用した資源共有システムのシステム構成図。
【図２】図１のパーソナルコンピュータの機能構成図。
【図３】図１の２台のパーソナルコンピュータ間での資源共有処理を行っている状態の説明図。
【図４】図１の２台のパーソナルコンピュータ間の距離に応じてその表示画面の大きさの変化する相手画面表示領域に共有画面を等倍で表示する場合の資源共有処理の説明図。
【図５】図１の２台のパーソナルコンピュータ間の距離に応じてその表示画面の大きさの変化する相手画面表示領域に共有画面を距離に応じた大きさで表示する場合の資源共有処理の説明図。
【図６】図１の３台のパーソナルコンピュータ間の最も優先度の高いパーソナルコンピュータの共有画面を表示する場合の資源共有処理の説明図。
【符号の説明】
【００６１】
１  資源共有システム
ＰＣ１〜ＰＣ３  パーソナルコンピュータ
Ｒｒ１、Ｒｒ２  ＲＦＩＤリーダ
１１  被共有範囲設定部
１２  相手画面設定部
１３  共有データ種別設定部
１４  ＰＣ間距離判定部
１５  共有デスクトップ領域データ送信部
１６  共有デスクトップ領域データ受信部
【図１】
2007219961.tif 000003
【図２】
2007219961.tif 000004
【図３】
2007219961.tif 000005
【図４】
2007219961.tif 000006
【図５】
2007219961.tif 000007
【図６】
2007219961.tif 000008